(57)【特許請求の範囲】
【請求項１】
部品が含有する化学物質を表す化学物質データと、該部品を供給する供給者と対応付けて管理する共通基盤管理システムから、部品の化学物質データを取得するデータ収集システムであって、
複数のグループのうちいずれかにそれぞれ属する複数の端末装置と、該複数の端末装置とネットワークを介して接続されたデータ収集装置と、から構成され、
前記複数の端末装置のそれぞれは、
部品毎に、部品を識別するための部品識別データと、該部品の供給者を表す供給者データと、該部品の化学物質データとを対応付けて記憶する部品データ記憶部と、
ユーザから化学物質データを取得する対象である部品を特定するための調査対象部品データを取得する調査対象部品データ取得部と、
前記調査対象部品データ取得部により取得された前記調査対象部品データにより特定される前記部品の部品識別データ及び供給者データを前記部品データ記憶部から取得し、取得した前記部品識別データ及び前記供給者データと、自装置が属する前記グループを識別するためのグループ識別データとを含む調査依頼データを生成する調査依頼データ生成部と、
前記調査依頼データ生成部により生成された前記調査依頼データを含む電子メールを前記データ収集装置に送信する調査依頼メール送信部と、
前記データ収集装置から調査回答データを取得する調査回答データ取得部と、
を備え、
前記データ収集装置は
前記複数の端末装置のそれぞれから前記電子メールを受信する調査依頼メール受信部と、
前記調査依頼メール受信部により受信された複数の前記電子メールのそれぞれに含まれる前記調査依頼データに基づいて、前記共通基盤管理システムから、前記調査依頼データに含まれる前記部品識別データにより識別される部品の化学物質データを、前記調査依頼データに含まれる前記グループ識別データにより識別される前記グループ単位で取得する化学物質データ取得部と、
前記化学物質データ取得部により取得された前記化学物質データと、前記調査依頼データに含まれる前記部品識別データとを含む調査回答データを生成する調査回答データ生成部と、
を備えることを特徴とするデータ収集システム。
【請求項２】
前記端末装置は、
依頼識別データと、前記依頼識別データにより識別される前記調査依頼データに含まれる前記部品識別データに対応する前記化学物質データの、前記部品データ記憶部における格納場所を表す格納先データと、を対応付けて記憶する格納先データ記憶部に記憶させる格納先データ記憶制御部と、
前記調査回答データ取得部により取得された前記調査回答データに含まれる前記化学物質データを、前記調査回答データに含まれる前記依頼識別データに基づいて、前記格納先データ記憶部に記憶された前記格納先データが表す格納場所に格納する調査回答データ格納制御部と、をさらに備え、
前記調査依頼データ生成部は、当該調査依頼データを識別するための依頼識別データをさらに含む前記調査依頼データを生成し、
前記調査回答データ生成部は、前記調査依頼データに含まれる前記依頼識別データをさらに含む前記調査回答データを生成する、
ことを特徴とする請求項１に記載のデータ収集システム。
【請求項３】
部品が含有する化学物質を表す化学物質データと、該部品を供給する供給者と対応付けて管理する共通基盤管理システムから、部品の化学物質データを取得するデータ収集システムであって、
端末装置と、該端末装置とネットワークを介して接続されたデータ収集装置と、から構成され、
前記端末装置は、
部品毎に、部品を識別するための部品識別データと、該部品の供給者を表す供給者データと、該部品の化学物質データとを対応付けて記憶する部品データ記憶部と、
ユーザから化学物質データを取得する対象である部品を特定するための調査対象部品データを取得する調査対象部品データ取得部と、
前記調査対象部品データ取得部により取得された前記調査対象部品データにより特定される前記部品の部品識別データ及び供給者データを前記部品データ記憶部から取得し、取得した前記部品識別データ及び前記供給者データを含む調査依頼データを生成する調査依頼データ生成部と、
前記調査依頼データ生成部により生成された前記調査依頼データを含む電子メールを前記データ収集装置に送信する調査依頼メール送信部と、
前記データ収集装置から調査回答データを取得する調査回答データ取得部と、
を備え、
前記データ収集装置は
前記端末装置から前記電子メールを受信する調査依頼メール受信部と、
前記調査依頼メール受信部により受信された前記電子メールに含まれる前記調査依頼データに基づいて、前記共通基盤管理システムから、前記調査依頼データに含まれる前記部品識別データにより識別される部品の化学物質データを取得する化学物質データ取得部と、
前記化学物質データ取得部により取得された前記化学物質データと、前記調査依頼データに含まれる前記部品識別データとを含む調査回答データを生成する調査回答データ生成部と、
を備え、
前記端末装置は、
依頼識別データと、前記依頼識別データにより識別される前記調査依頼データに含まれる前記部品識別データに対応する前記化学物質データの、前記部品データ記憶部における格納場所を表す格納先データと、を対応付けて記憶する格納先データ記憶部に記憶させる格納先データ記憶制御部と、
前記調査回答データ取得部により取得された前記調査回答データに含まれる前記化学物質データを、前記調査回答データに含まれる前記依頼識別データに基づいて、前記格納先データ記憶部に記憶された前記格納先データが表す格納場所に格納する調査回答データ格納制御部と、をさらに備え、
前記調査依頼データ生成部は、当該調査依頼データを識別するための依頼識別データをさらに含む前記調査依頼データを生成し、
前記調査回答データ生成部は、前記調査依頼データに含まれる前記依頼識別データをさらに含む前記調査回答データを生成する、
ことを特徴とするデータ収集システム。
【請求項４】
前記データ収集装置は、
前記調査回答データ生成部により生成された前記調査回答データを含む電子メールを前記端末装置に送信する調査回答メール送信部をさらに備え、
前記調査回答データ取得部は、前記データ収集装置から送信された前記電子メールに含まれる前記調査回答データを取得する、
ことを特徴とする請求項１から３のいずれか１項に記載のデータ収集システム。
【請求項５】
前記データ収集装置は、
前記調査回答データ生成部により生成された前記調査回答データを、前記データ収集装置と前記ネットワークを介して接続された調査回答データ記憶装置にアップロードする調査回答データアップロード部をさらに備え、
前記調査回答データ取得部は、前記調査回答データを、前記調査回答データ記憶装置からダウンロードすることにより取得する、
ことを特徴とする請求項１から３のいずれか１項に記載のデータ収集システム。
【請求項６】
部品が含有する化学物質を表す化学物質データと、該部品を供給する供給者と対応付けて管理する共通基盤管理システムから、データ収集装置を介して、該データ収集装置とネットワークを介して接続され、複数のグループのうちいずれかにそれぞれ属する複数の端末装置が、部品の化学物質データを取得するデータ収集方法であって、
前記複数の端末装置のそれぞれが、ユーザから化学物質データを取得する対象である部品を特定するための調査対象部品データを取得するステップと、
前記複数の端末装置のそれぞれが、取得した前記調査対象部品データにより特定される部品の部品識別データ及び供給者データを、部品毎に、部品を識別するための部品識別データと、該部品の供給者を表す供給者データと、該部品の化学物質データとを対応付けて記憶する部品データ記憶部から取得し、取得した前記部品識別データ及び前記供給者データと、自装置が属する前記グループを識別するためのグループ識別データとを含む調査依頼データを生成するステップと、
前記複数の端末装置のそれぞれが、生成された前記調査依頼データを含む電子メールを前記データ収集装置に送信するステップと、
前記データ収集装置が、前記複数の端末装置のそれぞれから前記電子メールを受信するステップと、
前記データ収集装置が、受信された複数の前記電子メールのそれぞれに含まれる前記調査依頼データに基づいて、前記共通基盤管理システムから、前記調査依頼データに含まれる前記部品識別データにより識別される部品の化学物質データを、前記調査依頼データに含まれる前記グループ識別データにより識別される前記グループ単位で取得するステップと、
前記データ収集装置が、取得された前記化学物質データと、前記調査依頼データに含まれる前記部品識別データとを含む調査回答データを生成するステップと、
前記複数の端末装置のそれぞれが、前記データ収集装置から前記調査回答データを取得するステップと、
を有することを特徴とするデータ収集方法。
【請求項７】
部品が含有する化学物質を表す化学物質データと、該部品を供給する供給者と対応付けて管理する共通基盤管理システムから、データ収集装置を介して、該データ収集装置とネットワークを介して接続された端末装置が、部品の化学物質データを取得するデータ収集方法であって、
前記端末装置が、ユーザから化学物質データを取得する対象である部品を特定するための調査対象部品データを取得するステップと、
前記端末装置が、取得した前記調査対象部品データにより特定される部品の部品識別データ及び供給者データを、部品毎に、部品を識別するための部品識別データと、該部品の供給者を表す供給者データと、該部品の化学物質データとを対応付けて記憶する部品データ記憶部から取得し、取得した前記部品識別データ及び前記供給者データを含む調査依頼データを生成するステップと、
前記端末装置が、生成された前記調査依頼データを含む電子メールを前記データ収集装置に送信するステップと、
前記データ収集装置が、前記端末装置から前記電子メールを受信するステップと、
前記データ収集装置が、受信された前記電子メールに含まれる前記調査依頼データに基づいて、前記共通基盤管理システムから、前記調査依頼データに含まれる前記部品識別データにより識別される部品の化学物質データを取得するステップと、
前記データ収集装置が、取得された前記化学物質データと、前記調査依頼データに含まれる前記部品識別データとを含む調査回答データを生成するステップと、
前記端末装置が、前記データ収集装置から前記調査回答データを取得するステップと、
を有し、
前記端末装置が、依頼識別データと、前記依頼識別データにより識別される前記調査依頼データに含まれる前記部品識別データに対応する前記化学物質データの、前記部品データ記憶部における格納場所を表す格納先データと、を対応付けて記憶する格納先データ記憶部に記憶させるステップと、
前記端末装置が、前記取得された前記調査回答データに含まれる前記化学物質データを、前記調査回答データに含まれる前記依頼識別データに基づいて、前記格納先データ記憶部に記憶された前記格納先データが表す格納場所に格納するステップと、
をさらに有し、
前記端末装置は、当該調査依頼データを識別するための依頼識別データをさらに含む前記調査依頼データを生成し、
前記データ収集装置は、前記調査依頼データに含まれる前記依頼識別データをさらに含む前記調査回答データを生成する、
ことを特徴とするデータ収集方法。
【発明の詳細な説明】
【技術分野】
【０００１】
本発明は、部品が含有する化学物質を表す化学物質データと、該部品を供給する供給者と対応付けて管理する共通基盤管理システムから、部品の化学物質データを取得するデータ収集システム、及びデータ収集方法に関する。
【背景技術】
【０００２】
製品に使用される部品等を発注する発注企業が部品が含有する化学物質のデータを取得する方法として、特許文献１には、部品の原材料と化学物質名等、またはその材料の供給元の連絡先等を問い合わせる質問表を作成し、受注企業にメール等で送付し、受注企業からの回答内容をデータベースにする方法が開示されている。
【先行技術文献】
【特許文献】
【０００３】
【特許文献１】特開２００５−７８５７５号公報
【発明の概要】
【発明が解決しようとする課題】
【０００４】
しかし、特許文献１に開示された技術は、化学物質データが、発注企業のシステムのデータベースに登録されるため、システム利用者は、システムに入って、システムのデータベースを参照して、調査を依頼する部品の確認、及び回答内容の確認する必要がある。しかし、化学物質データを希望するユーザは必ずしも発注企業のシステムに入る権限のあるユーザとは限られず、そのような権限のないユーザが化学物質データを取得することは容易ではない。
【０００５】
本発明は、上述の事情の下になされたもので、より多様なユーザが容易に部品の化学物質データを取得可能なデータ収集システム、及びデータ収集方法を提供することを目的とする。
【課題を解決するための手段】
【０００６】
上記目的を達成するため、本発明の第１の観点に係るデータ収集システムは、
部品が含有する化学物質を表す化学物質データと、該部品を供給する供給者と対応付けて管理する共通基盤管理システムから、部品の化学物質データを取得するデータ収集システムであって、
複数のグループのうちいずれかにそれぞれ属する複数の端末装置と、該複数の端末装置とネットワークを介して接続されたデータ収集装置と、から構成され、
前記複数の端末装置のそれぞれは、
部品毎に、部品を識別するための部品識別データと、該部品の供給者を表す供給者データと、該部品の化学物質データとを対応付けて記憶する部品データ記憶部と、
ユーザから化学物質データを取得する対象である部品を特定するための調査対象部品データを取得する調査対象部品データ取得部と、
前記調査対象部品データ取得部により取得された前記調査対象部品データにより特定される前記部品の部品識別データ及び供給者データを前記部品データ記憶部から取得し、取得した前記部品識別データ及び前記供給者データと、自装置が属する前記グループを識別するためのグループ識別データとを含む調査依頼データを生成する調査依頼データ生成部と、
前記調査依頼データ生成部により生成された前記調査依頼データを含む電子メールを前記データ収集装置に送信する調査依頼メール送信部と、
前記データ収集装置から調査回答データを取得する調査回答データ取得部と、
を備え、
前記データ収集装置は
前記複数の端末装置のそれぞれから前記電子メールを受信する調査依頼メール受信部と、
前記調査依頼メール受信部により受信された複数の前記電子メールのそれぞれに含まれる前記調査依頼データに基づいて、前記共通基盤管理システムから、前記調査依頼データに含まれる前記部品識別データにより識別される部品の化学物質データを、前記調査依頼データに含まれる前記グループ識別データにより識別される前記グループ単位で取得する化学物質データ取得部と、
前記化学物質データ取得部により取得された前記化学物質データと、前記調査依頼データに含まれる前記部品識別データとを含む調査回答データを生成する調査回答データ生成部と、
を備えることを特徴とする。
上記目的を達成するため、本発明の第２の観点に係るデータ収集システムは、
部品が含有する化学物質を表す化学物質データと、該部品を供給する供給者と対応付けて管理する共通基盤管理システムから、部品の化学物質データを取得するデータ収集システムであって、
端末装置と、該端末装置とネットワークを介して接続されたデータ収集装置と、から構成され、
前記端末装置は、
部品毎に、部品を識別するための部品識別データと、該部品の供給者を表す供給者データと、該部品の化学物質データとを対応付けて記憶する部品データ記憶部と、
ユーザから化学物質データを取得する対象である部品を特定するための調査対象部品データを取得する調査対象部品データ取得部と、
前記調査対象部品データ取得部により取得された前記調査対象部品データにより特定される前記部品の部品識別データ及び供給者データを前記部品データ記憶部から取得し、取得した前記部品識別データ及び前記供給者データを含む調査依頼データを生成する調査依頼データ生成部と、
前記調査依頼データ生成部により生成された前記調査依頼データを含む電子メールを前記データ収集装置に送信する調査依頼メール送信部と、
前記データ収集装置から調査回答データを取得する調査回答データ取得部と、
を備え、
前記データ収集装置は
前記端末装置から前記電子メールを受信する調査依頼メール受信部と、
前記調査依頼メール受信部により受信された前記電子メールに含まれる前記調査依頼データに基づいて、前記共通基盤管理システムから、前記調査依頼データに含まれる前記部品識別データにより識別される部品の化学物質データを取得する化学物質データ取得部と、
前記化学物質データ取得部により取得された前記化学物質データと、前記調査依頼データに含まれる前記部品識別データとを含む調査回答データを生成する調査回答データ生成部と、
を備え、
前記端末装置は、
依頼識別データと、前記依頼識別データにより識別される前記調査依頼データに含まれる前記部品識別データに対応する前記化学物質データの、前記部品データ記憶部における格納場所を表す格納先データと、を対応付けて記憶する格納先データ記憶部に記憶させる格納先データ記憶制御部と、
前記調査回答データ取得部により取得された前記調査回答データに含まれる前記化学物質データを、前記調査回答データに含まれる前記依頼識別データに基づいて、前記格納先データ記憶部に記憶された前記格納先データが表す格納場所に格納する調査回答データ格納制御部と、をさらに備え、
前記調査依頼データ生成部は、当該調査依頼データを識別するための依頼識別データをさらに含む前記調査依頼データを生成し、
前記調査回答データ生成部は、前記調査依頼データに含まれる前記依頼識別データをさらに含む前記調査回答データを生成する、
ことを特徴とする。
【発明の効果】
【０００７】
本発明によれば、より多様なユーザが容易に部品の化学物質データを取得することができる。
【図面の簡単な説明】
【０００８】
【図１】実施形態に係るデータ収集システムの構成を示すブロック図である。
【図２】端末装置の構成を示すブロック図である。
【図３】部品ＤＢの一例を示す図である。
【図４】格納先ＤＢの一例を示す図である。
【図５】データ収集装置の構成を示す図である。
【図６】調査依頼管理ＤＢの一例を示す図である。
【図７】調査依頼処理の流れを示すフローチャートである。
【図８】データ要求処理の流れを示すフローチャートである。
【図９】回答処理の流れを示すフローチャートである。
【図１０】格納制御処理の流れを示すフローチャートである。
【発明を実施するための形態】
【０００９】
以下、本発明の実施形態について、図面を参照して説明する。
【００１０】
図１に、実施形態に係るデータ収集システム１の概略構成を表すブロック図を示す。データ収集システム１は、共通基盤管理システム２から、部品が含有する化学物質を表す化学物質データを取得するためのシステムである。また、共通基盤管理システム２は、部品の化学物質データと、その部品を供給する供給者とを対応付けて管理するシステムであって、データ収集システム１からの求めに応じて、部品を供給する供給者のシステム（供給者システム）３から化学物質データを取得し、データ収集システム１に送信する。具体的には、データ収集システム１は、部品を発注する企業（発注企業）のシステムであり、共通基盤管理システム２を介して、その部品を受注する企業（受注企業）のシステムである供給者システム３からその部品の化学物質データを取得する。
【００１１】
図１に示すように、データ収集システム１は、複数の端末装置１００ａ，１００ｂと、端末装置１００ａ，１００ｂとネットワーク（図示せず）を介して接続されたデータ収集装置２００と、から構成される。
【００１２】
端末装置１００ａ，１００ｂは、ユーザから部品の化学物質データの調査依頼を受け付け、受け付けた調査依頼を電子メールでデータ収集装置２００に送信する。また、端末装置１００ａ，１００ｂは、データ収集装置２００から、自身が送信した調査依頼に係る調査回答である化学物質データを電子メールで受信する。具体的には、端末装置１００ａ、１００ｂは、部品を発注する企業（以下、発注企業）において使用されるＰＣ（Personal Computer）、ＰＤＡ（Personal Digital Assistant）等のデータ通信可能な装置から構成されている。
【００１３】
また、端末装置１００ａ，１００ｂは、それぞれグループＡ，Ｂに属している。このグループ分けは、例えば、データ収集システム１を管理する部品の発注企業が場所毎に有する工場に基づいて行われる。具体的には、グループＡに属する２つの端末装置１００ａは、発注企業が有する工場ＡＡにおけるユーザにより使用される端末装置である。そして、グループＢに属する２つの端末装置１００ｂは、発注企業が有する工場ＢＢにおけるユーザにより使用される端末装置である。なお、図１では、２つのグループＡ，Ｂ及び各グループＡ，Ｂに属する２つの端末装置１００ａ，１００ｂを例示しているが、グループの数及び各グループに属する端末装置の数はこれに限られない。
【００１４】
データ収集装置２００は、端末装置１００ａ，１００ｂから受信した調査依頼に基づいて、共通基盤管理システム２に、化学物質データの取得要求をネットワーク（図示せず）を介して送信する。そして、データ収集装置２００は、共通基盤管理システム２から、送信した取得要求に係る化学物質データを取得し、取得した化学物質データを調査回答として、調査依頼を送信した端末装置１００ａ，１００ｂに電子メールで送信する。
【００１５】
共通基盤管理システム２は、供給者システム３が提供する部品の化学物質データと、その部品の供給者とを対応付けて管理するシステムである。具体的には、共通基盤管理システム２は、データ収集装置２００から化学物質データの取得要求を受信し、その取得要求に含まれる部品の識別データと、その部品の供給者に関するデータとに基づいて、その部品の供給者の供給者システム３から化学物質データを取得する。そして、共通基盤管理システム２は、取得した化学物質データを取得要求と対応づけて、データ収集装置２００に送信する。
【００１６】
供給者システム３は、部品を供給する供給者のシステムであって、具体的には、供給する部品の化学物質データを管理するシステムである。供給者システム３は、共通基盤管理システム２とネットワーク（図示せず）を介して接続され、共通基盤管理システム２からの要求に応じて、化学物質データを共通基盤管理システム２に送信する。具体的には、供給者システム３は、共通基盤管理システム２からの要求に対応する部品の化学物質データが、すでに供給者システム３に格納されている場合、格納された化学物質データを共通基盤管理システム２に送信する。また、共通基盤管理システム２からの要求に対応する部品の化学物質データが、供給者システム３に格納されていない場合、供給者システム３は、供給者システム３のユーザからその化学物質データの入力を受け付け、入力された化学物質データを基盤管理システム２に送信する。
【００１７】
このような共通基盤管理システム２及び供給者システム３として、例えば、社団法人産業環境管理協会により提供されるＪＡＭＰ情報流通基盤を採用することができる。ＪＡＭＰ情報流通基盤は、企業間における化学物質データの交換を管理するグローバルポータル（ＧＰ）と、ＧＰに接続して化学物質データの提供・取得を行うアプリケーションサービス（ＡＳ）とから構成される。すなわち、データ収集システム１は、ＪＡＭＰ情報流通基盤におけるＡＰとしての機能を備え、共通基盤管理システム２としてのＧＰを介して、供給者システム３としての供給者のＡＳから化学物質データを取得することができる。
【００１８】
次に、本実施形態に係るデータ収集システム１の端末装置１００ａ，１００ｂについて詳細に説明する。
【００１９】
図２は、本実施形態に係る端末装置１００ａの構成を示すブロック図である。なお、端末装置１００ｂは、端末装置１００ａと同様に構成されているものとする。図２に示すように、端末装置１００ａは、入力部１１０と、出力部１２０と、通信部１３０と、制御部１４０と、ＲＯＭ（Read Only Memory）１５０と、ＲＡＭ（Random Access Memory）１６０と、記憶部１７０と、から構成される。
【００２０】
入力部１１０は、ユーザが端末装置１００ａを操作するためのマウスやキーボード等の入力装置から構成され、ユーザによって入力される各種の情報を受け付ける。具体的には、入力部１１０は、化学物質データを取得する対象である部品を特定するためのデータ（調査対象部品データ）の入力をユーザから受け付ける。ここで、調査対象部品データは、例えば、部品を識別するための部品識別データや部品名である。
【００２１】
出力部１２０は、液晶ディスプレイ等の表示装置から構成されている。出力部１２０は、制御部１４０により出力された各種の情報を出力する。具体的には、出力部１２０は、ユーザが調査対象部品データを入力する際に、後述する部品ＤＢ１７１に格納されている部品データを表示する。従って、ユーザは、出力部１２０に表示されている部品データを参照して、調査対象部品データを入力することができる。
【００２２】
通信部１３０は、所定の通信方式により通信を行うためのインターフェース等から構成されている。具体的には、通信部１３０は、データ収集装置２００との間で電子メールの送受信を行う。
【００２３】
制御部１４０は、例えば、ＣＰＵ（Central Processing Unit）から構成されており、端末装置１００ａ全体の制御を行う。例えば、制御部１４０は、データ収集装置２００に部品の化学物質データの取得を依頼するための調査依頼データを送信する調査依頼処理、及びデータ収集装置２００から化学物質データを取得し、後述する部品ＤＢ１７１に格納するデータ格納制御処理を実行する。各処理の詳細については後述する。
【００２４】
ＲＯＭ１５０は、制御部１４０が端末装置１００ａ全体を制御するためのプログラム等を格納する不揮発性メモリである。例えば、ＲＯＭ１５０は、制御部１４０が上述した調査依頼処理、及びデータ格納制御処理を実行するためのプログラムを格納している。
【００２５】
ＲＡＭ１６０は、制御部１４０が生成した情報や、当該情報を生成するために必要なデータを一時的に格納するための揮発性メモリである。
【００２６】
記憶部１７０は、ハードディスクドライブ等の記憶装置から構成される。例えば、記憶部１７０は、部品データベース（ＤＢ）１７１と、格納先ＤＢ１７２とを記憶する。
【００２７】
部品ＤＢ１７１は、部品毎に、部品に関するデータ（部品データ）を格納する。図３に部品ＤＢ１７１に格納される部品データの一例を示す。図３に示すように、部品データは、部品を識別するための部品識別データと、部品を供給する供給者のデータ（供給者データ）とを含む。供給者データは、供給者を特定するためのデータであり、例えば、供給者の名前や連絡先を表すデータである。また、部品データのうち、後述する調査依頼処理及び格納制御処理等によりすでにその部品の化学物質データが取得されているものには、さらに取得された化学物質データが含まれる。また、まだ化学物質データが取得されていない部品の部品データには、化学物質データが含まれていない。例えば、図３に示す部品ＤＢ１７１において、部品識別データ「Ａ００１」、「Ａ００３」に対応する化学物質データとして、それぞれ「Ｃ００１」、「Ｃ００２」が格納されている。しかし、部品識別データ「Ａ００２」に対応する化学物質データはまだ取得されていないため、部品識別データ「Ａ００２」に対応する化学物質データの欄には「−−−−」により、化学物質データが取得されていないことが示されている。なお、部品データに含まれる部品識別データ、及び供給者データは、例えば、ユーザ入力により、或いは外部の記憶装置から予め取得されている。
【００２８】
格納先ＤＢ１７２は、部品の化学物質データの調査依頼毎に、データ収集装置２００から取得した化学物質データの部品ＤＢ１７１における格納場所を表す格納先データを格納する。図４に、格納先ＤＢ１７２の一例を示す。図４に示すように、格納先ＤＢ１７２は、依頼識別データと、格納先データとを記憶する。依頼識別データ及び格納先データは、後述する制御部１４０の格納先記憶制御部１４３によりそれぞれ生成され、対応付けて格納先ＤＢ１７２に格納される。
【００２９】
次に、端末装置１００ａの制御部１４０の機能的構成について説明する。図２に示すように、制御部１４０は、調査対象部品データ取得部１４１、調査依頼データ生成部１４２、格納先記憶制御部１４３、暗号部１４４、調査依頼メール送信部１４５、調査回答データ取得部１４６、復号部１４７、格納制御部１４８として機能する。
【００３０】
調査対象部品データ取得部１４１は、入力部１１０を介して、ユーザから調査対象部品データを取得する。
【００３１】
調査依頼データ生成部１４２は、調査対象部品データ取得部１４１により取得された取得対象部品データにより特定される部品の化学物質データの取得を、データ収集装置２００に依頼するための調査依頼データを生成する。
【００３２】
具体的には、調査依頼データ生成部１４２は、調査対象部品データ取得部１４１により取得された取得対象部品データにより特定される部品の部品識別データ及び供給者データを部品ＤＢ１７１から取得する。そして、調査依頼データ生成部１４２は、取得された部品識別データ及び供給者データと、グループ識別データと、依頼識別データとを含む調査依頼データを生成する。
【００３３】
ここで、グループ識別データは、端末装置１００ａが属するグループを識別するためのデータである。例えば、端末装置１００ａにおいて生成される調査依頼データに含まれるグループ識別データは、端末装置１００ａが属するグループＡを表すデータである。グループ識別データは、予め、例えば記憶部１７０に記憶されている。また、依頼識別データは、調査依頼データ生成部１４２により生成された調査依頼データを識別するためのデータである。依頼識別データは、調査依頼データを生成する際に、調査依頼データ生成部１４２により生成される。
【００３４】
なお、調査対象部品データ取得部１４１により、複数の部品に係る調査対象部品データを取得した場合、調査依頼データ生成部１４２は、部品毎に、調査依頼データを生成する。
【００３５】
格納先記憶制御部１４３は、調査依頼データ生成部１４２により生成された調査依頼データの依頼識別データと、その調査依頼データに係る部品の化学物質データの格納先データとを対応付けて格納先ＤＢ１７２に記憶させる。
【００３６】
暗号部１４４は、調査依頼データ生成部１４２により生成された調査依頼データを暗号化し、調査依頼暗号化データを生成する。ここで、調査依頼データ生成部１４２において、部品毎に複数の調査依頼データが生成された場合、暗号部１４４は、複数の調査依頼データから１つの調査依頼暗号化データを生成する。具体的には、調査依頼データ生成部１４２において、複数の調査依頼データが複数のファイルとして生成された場合、暗号部１４４はそれらのファイルをひとまとめにして暗号化し、調査依頼暗号化データとして１つのファイルを生成する。なお、暗号部１４４により暗号化された調査依頼暗号化データを復号するための鍵は、例えば、暗号部１４４により生成され、データ収集装置２００に送信される。
【００３７】
調査依頼メール送信部１４５は、暗号部１４４により生成された調査依頼暗号化データを電子メールに添付し、その電子メールをデータ収集装置２００に送信する。
【００３８】
調査回答データ取得部１４６は、データ収集装置２００から、調査回答暗号化データが添付された電子メールを受信する。
【００３９】
復号部１４７は、調査回答データ取得部１４６が受信した調査回答暗号化データを復号し、調査回答データを生成する。なお、受信した調査回答暗号化データが、部品毎に複数の調査回答データに基づいて生成された場合は、復号部１４７は、その複数の調査回答データを生成する。また、後述するデータ収集装置２００の暗号部２４７により暗号化された調査回答暗号化データを復号するための鍵は、例えば、データ収集装置２００から受信することにより取得できる。
【００４０】
格納制御部１４８は、復号部１４７により生成された調査回答データに含まれる依頼識別データに基づいて、その調査回答データに含まれる化学物質データを、格納先ＤＢ１７２に記憶された格納先データが表す格納場所に格納する。
【００４１】
次に、本実施形態に係るデータ収集システム１のデータ収集装置２００について詳細に説明する。
【００４２】
図５は、本実施形態に係るデータ収集装置２００の構成を示すブロック図である。図５に示すように、データ収集装置２００は、入力部２１０と、出力部２２０と、通信部２３０と、制御部２４０と、ＲＯＭ（Read Only Memory）２５０と、ＲＡＭ（Random Access Memory）２６０と、記憶部２７０と、から構成される。
【００４３】
入力部２１０は、ユーザがデータ収集装置２００を操作するためのマウスやキーボード等の入力装置から構成され、ユーザによって入力される各種の情報を受け付ける。具体的には、ユーザから、後述する共通部品ＤＢ２７１への部品の化学物質データの入力を受け付ける。
【００４４】
出力部２２０は、液晶ディスプレイ等の表示装置から構成されている。出力部２２０は、制御部２４０により出力された各種の情報を出力する。
【００４５】
通信部２３０は、所定の通信方式により通信を行うためのインターフェース等から構成されている。具体的には、通信部２３０は、端末装置１００ａ，１００ｂとの間で電子メールの送受信を行う。また、通信部２３０は、共通基盤管理システム２との間で化学物質データの要求の送信、及び化学物質データの受信を行う。通信部２３０と共通基盤管理システム２との間のデータ通信における通信仕様の一例として、ｅｂＭＳ（ebXML Message Service）を採用することができる。これにより、通信部２３０と共通基盤管理システム２との間のデータ通信の信頼性及び安全性の向上を図ることができる。
【００４６】
制御部２４０は、例えば、ＣＰＵ（Central Processing Unit）から構成されており、データ収集装置２００全体の制御を行う。例えば、制御部２４０は、端末装置１００ａ，１００ｂからの調査依頼データに基づいて共通基盤管理システム２に化学物質データを要求するデータ要求処理と、調査回答データを端末装置１００ａ，１００ｂに送信する回答処理とを実行する。各処理の詳細については後述する。
【００４７】
ＲＯＭ２５０は、制御部２４０がデータ収集装置２００全体を制御するためのプログラム等を格納する不揮発性メモリである。例えば、ＲＯＭ２５０は、データ要求処理と回答処理とを実行するためのプログラムを格納している。
【００４８】
ＲＡＭ２６０は、制御部２４０が生成した情報や、当該情報を生成するために必要なデータを一時的に格納するための揮発性メモリである。
【００４９】
記憶部２７０は、ハードディスクドライブ等の記憶装置から構成される。例えば、記憶部２７０は、共有部品ＤＢ２７１、調査依頼管理ＤＢ２７２を記憶する。
【００５０】
共有部品ＤＢ２７１は、データ収集システム１全体で共有する部品に関する情報を格納する。具体的には、共有部品ＤＢ２７１は、過去に共通基盤管理システム２を介して供給者システムから取得した化学物質データや、入力部２１０を介してユーザにより入力された化学物質データを、部品識別データと対応づけて記憶する。ユーザにより入力される化学物質データとしては、例えば、汎用的に用いられる部品の化学物質データである。このように、汎用的に用いられる部品の化学物質データは、予め共有部品ＤＢ２７１に登録しておくことで、共通基盤管理システム２への接続処理を少なくすることができるとともに、迅速に調査回答データを送信することができる。
【００５１】
調査依頼管理ＤＢ２７２は、端末装置１００ａ，１００ｂから受信した調査依頼データと、その調査依頼データを送信した端末装置１００ａ，１００ｂとを対応付けて管理するためのデータを格納する。図６に、調査依頼管理ＤＢ２７２の一例を示す。図６に示すように、調査依頼管理ＤＢ２７２は、端末装置１００ａ，１００ｂから受信した調査依頼データに含まれる依頼識別データと、その調査依頼データの送信元を表す送信元データとを対応付けて記憶する。送信元データは、例えば、調査依頼データが添付されていた電子メールの送信元アドレスである。
【００５２】
次に、データ収集装置２００の制御部２４０の機能的構成について説明する。図５に示すように、制御部２４０は、調査依頼メール受信部２４１、復号部２４２、調査依頼管理部２４３、登録判別部２４４、化学物質データ取得部２４５、調査回答データ生成部２４６、暗号部２４７、調査回答メール送信部２４８として機能する。
【００５３】
調査依頼メール受信部２４１は、端末装置１００ａ、１００ｂから調査依頼暗号化データが添付された電子メールを受信する。
【００５４】
復号部２４２は、調査依頼メール受信部２４１が受信した調査依頼暗号化データを復号し、調査依頼データを生成する。なお、受信した調査依頼暗号化データが、部品毎に複数の調査依頼データに基づいて生成された場合は、復号部２４２は、その複数の調査依頼データを生成する。また、端末装置１００ａ，１００ｂの暗号部１４４により暗号化された調査依頼暗号化データを復号するための鍵は、例えば、端末装置１００ａ，１００ｂから受信することにより取得できる。
【００５５】
調査依頼管理部２４３は、復号部２４２により生成された調査依頼データに含まれる依頼識別データと、その調査依頼データの送信元アドレスとを対応付けて調査依頼管理ＤＢ２７２に記憶させる。
【００５６】
登録判別部２４４は、復号部２４２により復号された調査依頼データに含まれる部品識別データに基づいて、その部品識別データに対応する化学物質データが共有部品ＤＢ２７１に登録されているか否かを判別する。登録判別部２４４は、共有部品ＤＢ２７１に登録されていないと判別された部品識別データに係る調査依頼データを、例えば記憶部２７０上の一時記憶領域に記憶させる。
【００５７】
化学物質データ取得部２４５は、登録判別部２４４により一時記憶領域に記憶された調査依頼データについて、その調査依頼データに含まれるグループ識別データに基づいて、グループ単位で、共通基盤管理システム２から、化学物質データを取得する。
【００５８】
具体的には、化学物質データ取得部２４５は、登録判別部２４４により一時記憶領域に記憶された調査依頼データのうち、その調査依頼データに含まれるグループ識別データが同じグループを表す調査依頼データをまとめる。そして、まとめた調査依頼データを、共通基盤管理システム２との間での通信仕様に適した形式に変換し、化学物質データの取得要求として、共通基盤管理システム２に送信する。なお、一時記憶領域に記憶された調査依頼データは、共通基盤管理システム２に送信された後、消去される。また、化学物質データ取得部２４５は、共通基盤管理システム２から化学物質データを受信する。受信した化学物質データは、共通基盤管理システム２に送信した調査依頼データと依頼識別データにより対応付けられている。
【００５９】
また、化学物質データ取得部２４５は、登録判別部２４４により共有部品ＤＢ２７１に登録されていると判別された部品識別データに係る調査依頼データに対応する化学物質データとして、その部品識別データに対応する化学物質データを共有部品ＤＢ２７１から取得する。
【００６０】
調査回答データ生成部２４６は、化学物質データ取得部２４５により取得された化学物質データと、化学物質データに対応する調査依頼データに含まれる依頼識別データとを含む調査回答データを生成する。
【００６１】
暗号部２４７は、調査回答データ生成部２４６により生成された調査回答データを暗号化し、調査回答暗号化データを生成する。ここで、暗号部２４７は、調査依頼管理ＤＢ２７２を参照して、調査回答データ生成部２４６において生成された複数の調査回答データのうち、調査回答データに含まれる依頼識別データに対応する送信元データが同じである調査回答データが複数あると判別した場合、複数の調査回答データから１つの調査回答暗号化データを生成する。具体的には、調査回答データ生成部２４６において、複数の調査回答データが複数のファイルとして生成された場合、暗号部２４７は、調査依頼データの送信元が同じである複数の調査回答データのファイルをひとまとめにして暗号化し、調査回答暗号化データとして１つのファイルを生成する。なお、暗号部２４７により暗号化された調査回答暗号化データを復号するための鍵は、例えば、暗号部２４７により生成され、端末装置１００ａ，１００ｂに送信される。
【００６２】
調査回答メール送信部２４８は、暗号部２４７により生成された調査回答暗号化データを電子メールに添付し、その電子メールを端末装置１００ａ，１００ｂに送信する。なお、調査回答メール送信部２４８は、調査依頼管理ＤＢ２７２を参照して、調査回答データに含まれる依頼識別データに対応する送信元データを取得し、その送信元データが表す送信元を送信先として電子メールを送信する。
【００６３】
次に、端末装置１００ａ，１００ｂが実行する調査依頼処理の流れについて説明する。図７は、端末装置１００ａ，１００ｂが実行する調査依頼処理の流れの一例を示すフローチャートである。図７に示す調査依頼処理は、例えば、入力部１１０を介して、ユーザにより調査依頼処理の実行を開始する旨を表す操作が入力されたことを契機として開始される。
【００６４】
まず、調査対象部品データ取得部１４１は、調査対象部品データを取得する（ステップＳ１１）。具体的には、調査対象部品データ取得部１４１は、ユーザから、入力部１１０を介して、調査対象部品データの入力を受け付ける。なお、調査対象部品データ取得部１４１は、複数の部品の調査対象部品データを取得してもよい。
【００６５】
次に、調査依頼データ生成部１４２は、ステップＳ１１において調査対象部品データ取得部１４１により取得された取得対象部品データに基づいて、調査依頼データを作成する（ステップＳ１２）。
【００６６】
例えば、ステップＳ１１において、調査対象部品データ取得部１４１が、調査対象部品データとして部品識別データ「Ａ００２」を取得した場合、調査依頼データ生成部１４２は、図３に示す部品ＤＢ１７１を参照して、部品識別データ「Ａ００２」に対応する供給者データ「△△」を取得する。そして、調査依頼データ生成部１４２は、取得した部品識別データ「Ａ００２」及び供給者データ「△△」と、記憶部１７０に予め記憶されたグループ識別データと、生成した依頼識別データとを含む調査依頼データを生成する。
【００６７】
次に、格納先記憶制御部１４３は、ステップＳ１２において生成した調査依頼データを識別するための依頼識別データと、その調査依頼データに対する回答として受信した化学物質データの格納先データとを対応付けて格納先ＤＢ１７２に格納する（ステップＳ１３）。
【００６８】
例えば、ステップＳ１２において、調査依頼データ生成部１４２が、部品識別データ「Ａ００２」を含む調査依頼データを生成し、その調査依頼データの依頼識別データとして「Ｂ００２」を生成した場合、格納先記憶制御部１４３は、部品ＤＢ１７１において、部品識別データ「Ａ００２」に対応する化学物質データが格納されるアドレス「ｂ００２」を、格納先データとして取得する。そして、図４に示すように、格納先記憶制御部１４３は、依頼識別データ「Ｂ００２」と、格納先データ「ｂ００２」とを対応付けて格納先ＤＢ１７２に格納する。
【００６９】
次に、暗号部１４４は、ステップＳ１２において生成された調査依頼データを暗号化し、調査依頼暗号化データを生成する（ステップＳ１４）。
【００７０】
次に、調査依頼メール送信部１４５は、ステップＳ１４において生成した調査依頼暗号化データを添付した電子メールをデータ収集装置２００に送信する（ステップＳ１５）。そして、本処理を終了する。
【００７１】
次に、データ収集装置２００が実行する調査データ収集処理の流れについて説明する。図８は、データ収集装置２００が実行するデータ要求処理の流れの一例を示すフローチャートである。図８に示すデータ要求処理は、例えば、入力部２１０を介して、ユーザによりデータ要求処理の実行を開始する旨の操作が入力されたことを契機として開始される。
【００７２】
まず、調査依頼メール受信部２４１は、端末装置１００ａ，１００ｂから調査依頼暗号化データが添付された電子メールを受信したか否かを判別する（ステップＳ２１）。電子メールを受信していないと判別した場合（ステップＳ２１；Ｎｏ）、ステップＳ２８に処理を進める。
【００７３】
電子メールを受信したと判別した場合（ステップＳ２１；Ｙｅｓ）、復号部２４２は、受信した電子メールに添付された調査依頼暗号化データを復号し、調査依頼データを生成する（ステップＳ２２）。
【００７４】
次に、調査依頼管理部２４３は、ステップＳ２２において生成された調査依頼データに含まれる依頼識別データと、ステップＳ２１において受信した電子メールの送信元データとを対応づけて調査依頼管理ＤＢ２７２に格納する（ステップＳ２３）。
【００７５】
例えば、ステップＳ２２において生成された調査依頼データに含まれる依頼識別データが「Ｂ００２」であり、ステップＳ２１において受信した電子メールの送信元アドレスが「xyz@aaa.co.jp」である場合、調査依頼管理部２４３は、図６に示すように、依頼識別データ「Ｂ００２」と、送信元データである送信元アドレス「xyz@aaa.co.jp」とを対応付けて調査依頼管理ＤＢ２７２に格納する。
【００７６】
次に、登録判別部２４４は、ステップＳ２２において生成された調査依頼データについて、その調査依頼データに含まれる部品識別データに対応する化学物質データが共有部品ＤＢ２７１にすでに登録されているか否かを判別する（ステップＳ２４）。
【００７７】
化学物質データが共有部品ＤＢ２７１にすでに登録されていると判別した場合（ステップＳ２４；Ｙｅｓ）、化学物質データ取得部２４５は、調査依頼データに含まれる部品識別データに対応する化学物質データを共有部品ＤＢ２７１から取得する（ステップＳ２５）。
【００７８】
次に、調査回答データ生成部２４６は、回答処理を実行する（ステップＳ２６）。回答処理の詳細については、後述する。そして、処理をステップＳ２１に戻す。
【００７９】
化学物質データが共有部品ＤＢ２７１に登録されていないと判別した場合（ステップＳ２４；Ｎｏ）、登録判別部２４４は、その部品識別データに係る調査依頼データを、記憶部２７０上の一時記憶領域に記憶させる（ステップＳ２７）。
【００８０】
次に、化学物質データ取得部２４５は、所定時刻となったか否かを判別する（ステップＳ２８）。所定時刻でないと判別した場合（ステップＳ２８；Ｎｏ）、処理をステップＳ２１に戻す。
【００８１】
所定時刻となったと判別した場合（ステップＳ２８；Ｙｅｓ）、化学物質データ取得部２４５は、一時記憶領域に記憶された調査依頼データについて、調査依頼データに含まれるグループ識別情報が表すグループ単位で、共通基盤管理システム２に送信する（ステップＳ２９）。そして、処理をステップＳ２１に戻す。
【００８２】
以上のステップＳ２１〜Ｓ２９の処理を、制御部２４０は、例えば、入力部２１０を介して、ユーザによりデータ要求処理の実行を終了する旨の操作が入力されまで繰り返し実行する。
【００８３】
次に、データ収集装置２００が実行する回答処理の流れについて説明する。図９は、データ収集装置２００が実行する回答処理の流れの一例を示すフローチャートである。図９に示す回答処理は、データ要求処理において、化学物質データ取得部２４５が、調査依頼データに含まれる部品識別データに対応する化学物質データを共有部品ＤＢ２７１から取得したこと（図８のステップＳ２５）、または、化学物質データ取得部２４５が共通基盤管理システム２から化学物質データを受信したことを契機として開始される。
【００８４】
まず、調査回答データ生成部２４６は、化学物質データ取得部２４５により取得された化学物質データと、化学物質データに対応する調査依頼データに含まれる依頼識別データとを含む調査回答データを生成する（ステップＳ３１）。
【００８５】
次に、暗号部２４７は、ステップＳ３１において生成された調査回答データを暗号化し、調査回答暗号化データを生成する（ステップＳ３２）。
【００８６】
そして、調査回答メール送信部２４８は、ステップＳ３２において生成した調査回答暗号化データを添付した電子メールを端末装置１００ａ，１００ｂに送信する（ステップＳ３３）。
【００８７】
例えば、化学物質データ取得部２４５が、共通基盤管理システム２から、依頼識別データ「Ｂ００２」に対応する化学物質データを取得したことを契機として本回答処理の実行が開始されたとする。この場合、調査回答データ生成部２４６は、ステップＳ３１において、取得した化学物質データと、依頼識別データ「Ｂ００２」とを含む調査回答データを生成する。そして、ステップＳ３２において、暗号部２４７は、ステップＳ３１において生成された調査回答データを暗号化する。そして、ステップＳ３３において、調査回答メール送信部２４８は、調査依頼管理ＤＢ２７２を参照して、依頼識別データ「Ｂ００２」に対応する送信元データ「xyz@aaa.co.jp」を取得する。そして、調査回答メール送信部２４８は、調査回答暗号化データを添付した電子メールを、取得した送信元データ「xyz@aaa.co.jp」を送信先として送信する。
【００８８】
ステップＳ３３の処理の後、本回答処理が、図８のステップＳ２５の処理を契機として開始された場合、制御部２４０は、処理をステップＳ２１に戻し、データ要求処理を続行する。また、本回答処理が、化学物質データ取得部２４５が共通基盤管理システム２から化学物質データを受信したことを契機として開始された場合、制御部２４０は、回答処理を終了する。
【００８９】
次に、端末装置１００ａ，１００ｂが実行する格納制御処理の流れについて説明する。図１０は、端末装置１００ａ，１００ｂが実行する格納制御処理の流れの一例を示すフローチャートである。図１０に示す格納制御処理は、端末装置端末装置１００ａ，１００ｂの調査回答データ取得部１４６がデータ収集装置２００から調査回答暗号化データが添付された電子メールを受信したことを契機として開始される。
【００９０】
まず、復号部１４７は、受信した電子メールに添付された調査回答暗号化データを復号し、調査回答データを生成する（ステップＳ４１）。
【００９１】
次に、格納制御部１４８は、ステップＳ４１において生成された調査回答データに含まれる依頼識別データに対応する格納先データを格納先ＤＢ１７２から取得する（ステップＳ４２）。
【００９２】
例えば、ステップＳ４１において、依頼識別データ「Ｂ００２」と、その依頼識別データに対応する化学物質データを含む調査回答データが生成された場合、格納制御部１４８は、ステップＳ４２において、図４に示す格納先ＤＢ１７２を参照し、依頼識別データ「Ｂ００２」に対応する格納先データ「ｂ００２」を取得する。
【００９３】
次に、格納制御部１４８は、ステップＳ４２において取得した格納先データが表す格納場所に、ステップＳ４１において生成された調査回答データに含まれる化学物質データを格納する（ステップＳ４３）。そして、本処理を終了する。
【００９４】
以上説明したように、本実施形態に係るデータ収集システム１において、部品の化学物質データの取得を希望するユーザは、端末装置１００ａ，１００ｂから電子メールによりデータ収集装置２００に対して調査依頼をし、電子メールにより化学物質データを受け取ることができる。そのため、ユーザが、データ収集装置２００にアクセスする権限がないユーザであっても、電子メールにより化学物質データの調査依頼及び調査回答の取得を行えるため、より多様なユーザが容易に部品の化学物質データを取得することができる。
【００９５】
また、データ収集装置２００から共通基盤管理システム２に対して送信される調査依頼データは、グループ単位にまとめられて送信されるため、共通基盤管理システム２へのアクセスに伴う処理を集約することができ、処理コストを抑制することができる。
【００９６】
以上、本発明の実施形態について説明したが、本発明は実施形態によって限定されるものではない。
【００９７】
例えば、上記の実施形態において、データ収集装置２００から調査回答暗号化データが添付された電子メールを受信することにより、端末装置１００ａ，１００ｂは、調査回答データを取得したが、端末装置１００ａ，１００ｂのユーザが調査回答データを取得する方法は、これに限られない。例えば、データ収集装置２００は、外部のファイルサーバ等の記憶装置に調査回答暗号化データをアップロードし、その調査回答暗号化データをダウンロードするためのＵＲＬを端末装置１００ａ，１００ｂに電子メールで送信してもよい。これにより、端末装置１００ａ，１００ｂのユーザは、受信した電子メールの本文に記載されたダウンロード用ＵＲＬから調査回答暗号化データをダウンロードすることにより、調査回答データを取得することができる。
【００９８】
また、上記の実施形態において、端末装置１００ａ，１００ｂからデータ収集装置２００へ送信される調査依頼データ、及びデータ収集装置２００から端末装置１００ａ，１００ｂへ送信される調査回答データは、それぞれ端末装置１００ａ，１００ｂの暗号部１４４、及びデータ収集装置２００の暗号部２４７により暗号化されている。しかし、調査依頼データ及び調査回答データは、必ずしも暗号化される必要はない。端末装置１００ａ，１００ｂとデータ収集装置２００の間におけるネットワークのセキュリティが確保されていれば、調査依頼データ及び調査回答データは、暗号化されずに、端末装置１００ａ，１００ｂまたはデータ収集装置２００に送信されてもよい。このように調査依頼データ及び調査回答データが暗号化されない場合であっても、上記の実施形態と同様の効果を得ることができる。
【符号の説明】
【００９９】
１      データ収集システム
１００ａ，１００ｂ  端末装置
１１０  入力部
１２０  出力部
１３０  通信部
１４０  制御部
１４１  調査対象部品データ取得部
１４２  調査依頼データ生成部
１４３  格納先記憶制御部
１４４  暗号部
１４５  調査依頼メール送信部
１４６  調査回答データ取得部
１４７  復号部
１４８  格納制御部
１５０  ＲＯＭ
１６０  ＲＡＭ
１７０  記憶部
１７１  部品ＤＢ
１７２  格納先ＤＢ
２００  データ収集装置
２１０  入力部
２２０  出力部
２３０  通信部
２４０  制御部
２４１  調査依頼メール受信部
２４２  復号部
２４３  調査依頼管理部
２４４  登録判別部
２４５  化学物質データ取得部
２４６  調査回答データ生成部
２４７  暗号部
２４８  調査回答メール送信部
２      共通基盤管理システム
３      供給者システム
【図１】
0006004735.tif 000002
【図２】
0006004735.tif 000003
【図３】
0006004735.tif 000004
【図４】
0006004735.tif 000005
【図５】
0006004735.tif 000006
【図６】
0006004735.tif 000007
【図７】
0006004735.tif 000008
【図８】
0006004735.tif 000009
【図９】
0006004735.tif 000010
【図１０】
0006004735.tif 000011